(57)【要約】  【課題】  ロック手段を備えたハンガーの構成および操作を簡単にするとともに安価に製造する。  【解決手段】  ハンガー本体部１と、該ハンガー本体部１の上部中央部分の上方に連続する棒状部材により逆Ｕ字状に形成されたフック部２と、該フック部２の一方の棒状部材のハンガー本体部１寄りの部分を適長さ切除した切除部と、一端が前記切除部下方の棒状部材の上端２１に軸支されるとともに他端が前記切除部上方の棒状部材の下端２２に着脱自在に嵌合する嵌合部が形成された開閉止具３とを備える。ここで、開閉止具３が前記棒状部材下端２２から離脱して回動する方向を前記他方の棒状部材を避けた前記他方の棒状部材側とする。【選択図】  図１
2005046385.tif 000002
【特許請求の範囲】
【請求項１】
ハンガー本体部と、
該ハンガー本体部の上部中央部分の上方に連続する棒状部材により逆Ｕ字状に形成されたフック部と、
該フック部の一方の棒状部材のハンガー本体寄りの部分を適長さ切除した切除部と、
一端が前記切除部下方の棒状部材の上端に軸支されるとともに他端が前記切除部上方の棒状部材の下端に着脱自在に嵌合する嵌合部が形成された開閉止具と、
を備えたことを特徴とするハンガー。
【請求項２】
請求項１に記載のハンガーにおいて、
前記開閉止具が前記棒状部材下端から離脱して回動する方向を前記他方の棒状部材を避けた前記他方の棒状部材側としたことを特徴とするハンガー。
【請求項３】
請求項１または２に記載のハンガーにおいて、
前記開閉止具の一端の軸支部分は、前記開閉止具側を二股形状としてその先端部に一対の透孔を穿設するとともに前記棒状部材上端部に直径方向の孔を穿設して両者を割りピンにより結合したことを特徴とするハンガー。
【請求項４】
請求項１乃至３のいずれかに記載のハンガーにおいて、
前記開閉止具の他端の嵌合部分は、前記開閉止具側の断面形状を先端が窄まったＵ字形にするとともに前記棒状部材下端部を円柱状に形成したことを特徴とするハンガー。
【請求項５】
請求項１乃至４のいずれかに記載のハンガーにおいて、
前記フック部の内側の前記開閉止具より上方の形状は、直径が段階的に変化する円弧を組み合わせて構成したことを特徴とするハンガー。
【請求項６】
請求項５に記載のハンガーにおいて、
前記フック部の内側を構成する円弧の最大径は、前記切除部の長さ以下としたことを特徴とするハンガー。
【発明の詳細な説明】
【技術分野】
【０００１】
本発明は、衣類等を吊り下げるハンガーに関し、詳しくは、ハンガーに洗濯物をかけて屋外の物干し竿等に吊り下げておいても、風に吹き飛ばされて物干し竿等から外れることのないハンガーに関する。
【背景技術】
【０００２】
従来、ハンガーを屋外の物干し竿等に吊り下げておいても、風に吹き飛ばされて物干し竿等から外れることのないハンガーとして、ハンガーのフック部分にロック手段を備えたものが特許文献１〜特許文献３として既に提案されている。
【特許文献１】特開平０８−５２０５７号公報
【特許文献２】特開平０９−１３５７６６号公報
【特許文献３】特開２００１−１７３００号公報
【発明の開示】
【発明が解決しようとする課題】
【０００３】
しかしながら、これらのハンガーは、ロック手段を備えたことで、風に吹き飛ばされて物干し竿等から外れることが防止されるようにはなったものの、ロック手段の構成が複雑であり、ロックの操作が煩わしく、しかも製造コストが増大するという課題があった。そこで、本発明は、ロック手段の構造を簡単にして、操作を容易にするとともに製造コストも比較的安価にしたハンガーを提案することを目的とした。
【課題を解決するための手段】
【０００４】
上記課題を解決するために、本発明は、ハンガー本体部と、該ハンガー本体部の上部中央部分の上方に連続する棒状部材により逆Ｕ字状に形成されたフック部と、該フック部の一方の棒状部材のハンガー本体寄りの部分を適長さ切除した切除部と、一端が前記切除部下方の棒状部材の上端に軸支されるとともに他端が前記切除部上方の棒状部材の下端に着脱自在に嵌合する嵌合部が形成された開閉止具とを備えたことを特徴とする。ここで、前記開閉止具が前記棒状部材下端から離脱して回動する方向を前記他方の棒状部材を避けた前記他方の棒状部材側とする。なお、前記開閉止具の一端の軸支部分は、前記開閉止具側を二股形状としてその先端部に一対の透孔を穿設するとともに前記棒状部材上端部に直径方向の孔を穿設して両者を割りピンにより結合する。また、前記開閉止具の他端の嵌合部分は、前記開閉止具側の断面形状を先端が窄まったＵ字形にするとともに前記棒状部材下端部を円柱状に形成する。また、前記フック部の内側の前記開閉止具より上方の形状は、直径が段階的に変化する円弧を組み合わせて構成する。さらに、前記フック部の内側を構成する円弧の最大径は、前記切除部の長さ以下とする。
【発明の効果】
【０００５】
以上述べたように本発明によれば、ハンガー本体上部に逆Ｕ字状に形成されたフック部を適長さ切除し、この切除部に開閉自在な開閉止具を設けたことで、ハンガーを屋外の物干し竿等にかける場合は、開閉止具を開けてフック部内に物干し竿等を入れてから開閉止具を閉じることで、ハンガーが風にあおられても、物干し竿等から外れることがなくなる。また、開閉止具の構成が簡単であるため、開閉操作も簡単であるとともに、低コストで製作することも可能となる。
【発明を実施するための最良の形態】
【０００６】
以下、図に基づいて本発明の実施形態を説明する。
図１は本発明に係るハンガーを示す外観図である。図において、１は衣類がかけられるハンガー本体であり、その上部中央部分の上方に略逆Ｕ字状のフック部２がハンガー本体１と一体に形成されている。フック部２の左側部分の下端寄りの一部が切除されて、そこへ開閉止具３の下端が軸支されて、上端側を開閉自在に支持している。なお、ハンガー本体１およびフック部２は、棒状部材からなりプラスチック成型により製造される。
【０００７】
図２は図１のフック部２を拡大して示した拡大図であり、図３は図２における開閉止具３の開閉動作を示す説明図であり、図４は図３の斜視図であり、図５は開閉止具３が開いた状態のフック部２の水平断面図であり、図６は開閉止具３および割りピン４の斜視図であり、図７は開閉止具３が閉じられた状態の開閉止具３の上部の断面図である。図６および図７に示されるように、開閉止具３は、フック部２の左側の切除部よりも長い管材の側面を円周の４分の１ほど切除し、一端の反対側外周部をさらに切除して二股形状とし、そこへ一対の透孔３１，３２を穿設し、さらに他端側の内周面に肉盛り部３３を設けた形状に形成されている。
【０００８】
また、図２〜図４に示されるように、フック部２の左側の切除部の棒状部材の上端部２１に透孔が開けられ、そこへ開閉止具３の下端の透孔３１，３２を合わせて割りピン４を挿通することにより、開閉止具３を軸支している。開閉止具３の上端は、フック部２の左側の切除部の棒状部材の下端部２２に着脱自在に嵌合される。なお、上端部２１の透孔は、図５に示されるように、その方向をハンガー本体１の長手方向と直交する角度よりも反時計方向に２０〜３０度回転した位置とし、開閉止具３が開けられて、右下方へ回動したとき、その先端がフック部２の右側部材に干渉しないようにしている。
【０００９】
また、フック部２は、図２に示されるように、上部内側に、使用する物干し竿５の外径に応じた曲面が形成されている。すなわち、最大径の竿の外径に応じた円弧Ｒ１と、次に大きい径の竿の外径に応じた円弧Ｒ２と、次に大きい径の竿の外径に応じた円弧Ｒ３と、最も小さい径の竿の外径に応じた円弧Ｒ４が組み合わせられている。このようにしたことで、４段階の外径の物干し竿５に安定してかけることが可能となる。
【００１０】
このように構成されたハンガーを使用する場合は、図３および図４に示されるように、開閉止具３を右下方へ回動してフック部２を開いてから、物干し竿５を通し、さらに物干し竿５をフック部２の内側上方へ移動させる。物干し竿５は、その径に応じた位置で上昇を停止する。次に、倒されていた開閉止具３を左上方へ起こし、その先端内側の肉盛り部３３を、フック部２の下端部２２に押し込み、開閉止具３を装着する。この状態がハンガーを物干し竿５に通した通常の使用状態となる。ここで、風にあおられて、ハンガーが右上方へ移動して、相対的に開閉止具３の右背面部に物干し竿５が当接しても、開閉止具３は閉じられる方向に押圧されるため、開閉止具３が開いてハンガーが物干し竿５から外れて落ちることが防がれる。
【産業上の利用可能性】
【００１１】
本発明は、プラスチック製のハンガー以外にも、金属製のハンガー、木製のハンガーにも利用可能である。
【図面の簡単な説明】
【００１２】
【図１】本発明に係るハンガーを示す外観図である。
【図２】図１のフック部を拡大して示した拡大図である。
【図３】図２における開閉止具の開閉動作を示す説明図である。
【図４】図３の斜視図である。
【図５】開閉止具が開いた状態のフック部の水平断面図である。
【図６】開閉止具および割りピンの斜視図である。
【図７】開閉止具が閉じられた状態の開閉止具の上部の断面図である。
【符号の説明】
【００１３】
１  ハンガー本体
２  フック部
３  開閉止具
４  割りピン
５  物干し竿
２１  上端部
２２  下端部
３１，３２  透孔
３３  肉盛り部
Ｒ１〜Ｒ４  円弧
【図１】
2005046385.tif 000003
【図２】
2005046385.tif 000004
【図３】
2005046385.tif 000005
【図４】
2005046385.tif 000006
【図５】
2005046385.tif 000007
【図６】
2005046385.tif 000008
【図７】
2005046385.tif 000009